(57)【要約】      （修正有）【課題】リアクタの冷却効率を向上させることが可能なヒートポンプ給湯機の室外ユニットを提供する。【解決手段】ヒートポンプ給湯機の室外ユニットは、複数の電装部品を有し、送風機の配置される送風機室Ｓ１と送風機室から隔離された機械室とを有するヒートポンプ給湯機の室外ユニット２であって、蒸発器２４とリアクタ４２とを備える。蒸発器２４は、送風機室に配置され、ヒートポンプ給湯機の冷媒回路の構成要素である。リアクタ４２は、複数の電装部品の一つであり、送風機室に配置され、室外ユニットの制御を行うためのインバータ回路において用いられる。【選択図】図５（ａ）
2007271212.tif 000002
【特許請求の範囲】
【請求項１】
複数の電装部品を有し、送風機（２７）の配置される送風機室（Ｓ１）と前記送風機室から隔離された機械室（Ｓ２）とを有するヒートポンプ給湯機の室外ユニット（２）であって、
前記送風機室に配置され、前記ヒートポンプ給湯機の冷媒回路（２０）の構成要素である蒸発器（２４）と、
前記複数の電装部品の一つであり、前記送風機室に配置され、前記室外ユニットの制御を行うためのインバータ回路において用いられるリアクタ（４２）と、
を備えたヒートポンプ給湯機（１）の室外ユニット（２）。
【請求項２】
前記リアクタ以外の前記複数の電装部品は、強電部品を実装している第１電装部（４４）と、弱電部品を実装している第２電装部（４５）と、に分けて配置され、
前記第１電装部は、前記第２電装部を挟んで、前記リアクタとは反対側に位置する、
請求項１に記載のヒートポンプ給湯機（１）の室外ユニット（２）。
【請求項３】
前記電装部品を内部に収納可能な電装品ケーシング（４１）をさらに備え、
前記電装品ケーシングは、内部に前記リアクタを含む前記複数の電装部品を収納している、
請求項１または２に記載のヒートポンプ給湯機（１）の室外ユニット（２）。
【請求項４】
前記電装品ケーシングは、前記リアクタの近傍に冷気取り入れ可能な冷気取入口（４６）を有する、
請求項３に記載のヒートポンプ給湯機（１）の室外ユニット（２）。
【請求項５】
前記電装品ケーシングは、前記リアクタを挟んで前記蒸発器側と反対の側に、前記リアクタの近傍の空気を放出可能な空気放出口（４７）を、さらに有する、
請求項４に記載のヒートポンプ給湯機（１）の室外ユニット（２）。
【請求項６】
前記リアクタの下部に設けられ、前記電装品ケーシングの底部を支持する支持部材（５）をさらに備え、
前記支持部材は、金属製であり、かつ、前記蒸発器と接している、
請求項４または５に記載のヒートポンプ給湯機（１）の室外ユニット（２）。
【請求項７】
前記支持部材は、冷気が通過可能な開口部（５１）を有し、
前記開口部は、前記冷気取入口から前記電装部品ケーシング内に冷気を取り入れ可能な位置、または、前記放出口から前記冷気を放出可能な位置に設けられる、
請求項６に記載のヒートポンプ給湯機（１）の室外ユニット（２）。
【請求項８】
前記リアクタは、前記送風機の上方空間に配置されている、
請求項１から７のいずれかに記載のヒートポンプ給湯機（１）の室外ユニット（２）。
【発明の詳細な説明】
【技術分野】
【０００１】
本発明は、ヒートポンプ給湯機の室外ユニット、特に、送風機の配設されている送風機室と送風機室から隔離された機械室とを有し、リアクタが設けられているヒートポンプ給湯機の室外ユニットに関する。
【背景技術】
【０００２】
従来、空気調和装置の室外ユニットの内部は、特許文献１のように、正面視において上下および前後方向に延びる仕切り板によって、熱交換器およびファンを配設する送風機室と圧縮機などを配設する機械室とに区画されている。そして、リアクタと、パワートランジスタ、コンデンサ等の各種電装部品を内蔵する電装部品ユニットとが機械室に配設されており、このリアクタや電装部品ユニット内の制御回路によって、送風ファン、圧縮機等に駆動電力が供給されるとともに、それらの駆動制御が行われている。この駆動制御（インバータ制御）を行っている電装部品であるリアクタは、発熱を伴うため冷却が必要であり、この空気調和装置の室外ユニットでは、仕切り板に開口を設けて送風機室内の空間と接するようにしてリアクタを配設して、リアクタの冷却を行っている。
【０００３】
また、特許文献２のように、リアクタを送風機室に配設することにより、送風機による空気の流れを利用してリアクタの冷却を図っているものもある。
【特許文献１】特開平９−２９２１４２号公報
【特許文献２】特開２００５−１１４２４４号公報
【発明の開示】
【発明が解決しようとする課題】
【０００４】
しかしながら、特許文献１の室外ユニットでは、リアクタ全体のうち送風機室内の空間と接している部分は一部であり、室外ファンによる空気の流れを利用してもリアクタ全体を十分に冷却することは難しい。また、特許文献２の室外ユニットでは、夏期に、送風機室内の熱交換器は主に凝縮器として機能するために熱が発生し、リアクタの冷却効率が悪くなるため、現実的ではなく、多くの空気調和装置では特許文献１のようにリアクタを機械室に配置している。このように、リアクタの温度が上昇してしまってリアクタの使用条件に制約が掛かる原因となり、より耐熱性のある高価格のリアクタが必要になりコストアップの要因になっている。また、ヒートポンプ給湯機の場合には、室外熱交換器が蒸発器としてのみ用いられることから、リアクタの配置についてさらに最適な選択があり得る。
【０００５】
本発明の課題は、リアクタの冷却効率を向上させることが可能なヒートポンプ給湯機の室外ユニットを提供することにある。
【課題を解決するための手段】
【０００６】
第１発明に係るヒートポンプ給湯機の室外ユニットは、複数の電装部品を有し、送風機の配置される送風機室と送風機室から隔離された機械室とを有するヒートポンプ給湯機の室外ユニットであって、蒸発器とリアクタとを備える。蒸発器は、送風機室に配置され、ヒートポンプ給湯機の冷媒回路の構成要素である。リアクタは、複数の電装部品の一つであり、送風機室に配置され、室外ユニットの制御を行うためのインバータ回路において用いられる。
【０００７】
従来、リアクタなどの発熱する電装部品は機械室側に配置され、ほとんど冷却されることがないために、リアクタの温度が上昇してしまってその使用条件に制約が係る原因となっており、より耐熱性のある高価格のリアクタが必要になりコストアップの要因になっている。
本発明では、リアクタを送風機の設置されている送風機室に配置することにより、常時冷たい蒸発器の冷輻射熱やこの蒸発器を通り外気よりも低温の空気によってリアクタを冷却することができる。これにより、リアクタの使用条件に制約が掛かる原因の発生を低減することができ、コストを削減できる。
【０００８】
第２発明に係るヒートポンプ給湯機の室外ユニットは、第１発明に係るヒートポンプ給湯機の室外ユニットであって、リアクタ以外の複数の電装部品は、第１電装部と、第２電装部とに分けて配置される。そして、第１電装部は、第２電装部を挟んで、リアクタとは反対側に位置する。
このヒートポンプ給湯機の室外ユニットでは、複数の電装部品は、リアクタと、第１電装部と、第２電装部とに分類され、第１電装部は弱電部品で構成され、第２電装部は強電部品で構成されている。そして、リアクタは、第２電装部を挟んで第１電装部の反対側に位置する。
このため、第１電装部は、発熱量が多いリアクタと離れるために、リアクタの発熱の影響を受けにくくなる。これにより、第１電装部による制御回路の制御に不具合が発生することを低減することができる。
【０００９】
第３発明に係るヒートポンプ給湯機の室外ユニットは、第１発明または第２発明に係るヒートポンプ給湯機の室外ユニットであって、複数の電装部品を内部に収納可能な電装品ケーシングをさらに備える。電装品ケーシングは、内部にリアクタを含む複数の電装部品を収納している。
【００１０】
このヒートポンプ給湯機の室外ユニットでは、室外ユニットの電装品ケーシングの内部に、リアクタやインバータ回路などの複数の電装部品を収納しているため、複数の電装部品を雨水等の水分から遮断することができ、電気的な短絡が起こることを防ぐことができる。また、リアクタやインバータ回路などの電装部品を一つのケースにまとめることで、配線の手間を省くことができ、配線ミスを少なくできる。このため、製品の質を向上させることができる。
【００１１】
第４発明に係るヒートポンプ給湯機の室外ユニットは、第３発明に係るヒートポンプ給湯機の室外ユニットであって、電装品ケーシングは、冷気取入口を有する。冷気取入口は、リアクタの近傍に冷気取入可能である。
このヒートポンプ給湯機の室外ユニットでは、冷気取入口から電装品ケーシング内部のリアクタ近傍に、外気が蒸発器を通過することにより冷却された低温の空気を取り入れることが可能である。このため、リアクタを効率よく冷却することが可能となる。
【００１２】
第５発明に係るヒートポンプ給湯機の室外ユニットは、第４発明に係るヒートポンプ給湯機の室外ユニットであって、電装品ケーシングは、空気放出口をさらに有する。空気放出口は、リアクタを挟んで蒸発器側と反対の側に、リアクタの近傍の空気を放出可能である。
このヒートポンプ給湯機の室外ユニットでは、冷気取入口の他に、リアクタを挟んで蒸発器側と反対の側に空気放出口を設けている。
したがって、リアクタを通過する冷気の通り道を形成することができる。このため、冷気取入口から冷気を取り入れて、リアクタの近傍でリアクタの熱を奪うことにより温められた空気を放出することができる。これにより、冷気をリアクタの近傍に継続的に供給できるため、リアクタを効率よく冷却することが可能となる。
【００１３】
第６発明に係るヒートポンプ給湯機の室外ユニットは、第４発明または第５発明に係るヒートポンプ給湯機の室外ユニットであって、支持部材をさらに備える。支持部材は、リアクタの下部に設けられ、電装品ケーシングの底部を支持する。また、支持部材は金属製であり、かつ、蒸発器と接している。
【００１４】
このヒートポンプ給湯機の室外ユニットでは、金属製で、かつ、蒸発器に接している支持部材が電装品ケーシングの底部を支えている。この、支持部材は、金属製であり蒸発器と接しているために、蒸発器に熱を奪われ易い。
したがって、電装品ケーシングの内部のリアクタは、支持部材を介して蒸発器からの冷輻射熱を受け取ることが可能となる。これにより、電装品ケーシング内部のリアクタを効率よく冷却することが可能となる。
【００１５】
第７発明に係るヒートポンプ給湯機の室外ユニットは、第６発明に係るヒートポンプ給湯機の室外ユニットであって、支持部材は、空気が通過可能な開口部を有する。また、開口部は、冷気取入口から電装品ケーシング内に冷気を取入可能な位置、または、空気放出口から冷気を放出可能な位置に設けられる。
このヒートポンプ給湯機では、支持部材に空気が通過可能な開口部を設けることで、支持部材があっても電装品ケーシングの冷気取入口から冷気を取り入れている。また、支持部材に空気が通過可能な開口部を設けることで、電装品ケーシング内部の空気を空気放出口から放出している。
【００１６】
これにより、電装品ケーシングの底部に支持部材があっても、電装品ケーシングの冷気取入口または空気放出口を塞ぐことなく、リアクタの近傍に冷気を取り入れたりリアクタの近傍の空気を放出したりすることができる。また、この支持部材は、金属製であり蒸発器と接しているため、開口部付近の冷気をさらに冷却することが可能である。このため、リアクタを効率よく冷却することが可能となる。
【００１７】
第８発明に係るヒートポンプ給湯機の室外ユニットは、第１発明から第７発明に係るヒートポンプ給湯機の室外ユニットであって、リアクタは、送風機の上方空間に配置されている。
このヒートポンプ給湯機の室外ユニットでは、リアクタは、送風機の上方空間に配置されているため、蒸発器により冷却された空気を効率よくリアクタに送風することができる。このため、リアクタを効率よく冷却することが可能となる。
【発明の効果】
【００１８】
第１発明に係るヒートポンプ給湯機の室外ユニットでは、リアクタを送風機の設置されている送風機室に配置することにより、常時冷たい蒸発器の冷輻射熱やこの蒸発器を通り外気よりも低温の空気によってリアクタを冷却することができる。これにより、リアクタの使用条件に制約が掛かる原因の発生を低減することができ、コストを削減できる。
第２発明に係るヒートポンプ給湯機の室外ユニットでは、第１電装部は、発熱量が多いリアクタと離れるために、リアクタの発熱の影響を受けにくくなる。これにより、第１電装部による制御回路の制御に不具合が発生することを低減することができる。
【００１９】
第３発明に係るヒートポンプ給湯機の室外ユニットでは、室外ユニットの電装品ケーシングの内部に、リアクタやインバータ回路などの複数の電装部品を収納しているため、複数の電装部品を雨水等の水分から遮断することができ、電気的な短絡が起こることを防ぐことができる。また、リアクタやインバータ回路などの電装部品を一つのケースにまとめることで、配線の手間を省くことができ、配線ミスを少なくできる。このため、製品の質を向上させることができる。
【００２０】
第４発明に係るヒートポンプ給湯機の室外ユニットでは、冷気取入口から電装品ケーシング内部のリアクタ近傍に、外気が蒸発器を通過することにより冷却された低温の空気を取り入れることが可能である。このため、リアクタを効率よく冷却することが可能となる。
第５発明に係るヒートポンプ給湯機の室外ユニットでは、リアクタを通過する冷気の通り道を形成することができる。このため、冷気取入口から冷気を取り入れて、リアクタの近傍でリアクタの熱を奪うことにより温められた空気を放出することができる。これにより、冷気をリアクタの近傍に継続的に供給できるため、リアクタを効率よく冷却することが可能となる。
【００２１】
第６発明に係るヒートポンプ給湯機の室外ユニットでは、電装品ケーシングの内部のリアクタは、支持部材を介して蒸発器からの冷輻射熱を受け取ることが可能となる。これにより、電装品ケーシング内部のリアクタを効率よく冷却することが可能となる。
第７発明に係るヒートポンプ給湯機の室外ユニットでは、電装品ケーシングの底部に支持部材があっても、電装品ケーシングの冷気取入口または空気放出口を塞ぐことなく、リアクタの近傍に冷気を取り入れたりリアクタの近傍の空気を放出したりすることができる。また、この支持部材は、金属製であり蒸発器と接しているため、開口部付近の冷気をさらに冷却することが可能である。このため、リアクタを効率よく冷却することが可能となる。
【００２２】
第８発明に係るヒートポンプ給湯機の室外ユニットでは、リアクタは、送風機の上方空間に配置されているため、蒸発器により冷却された空気を効率よくリアクタに送風することができる。このため、リアクタを効率よく冷却することが可能となる。
【発明を実施するための最良の形態】
【００２３】
＜ヒートポンプ給湯機の構成＞
本発明の一実施形態が採用されるヒートポンプ給湯機１の概略構成図を図１に示す。
ヒートポンプ給湯機１は、蒸気圧縮式のヒートポンプサイクル運転を行うことによって水道水を加熱し、家庭の浴槽等に温湯を供給する装置である。ヒートポンプ給湯機１は、主として、温湯を貯める貯湯タンク３１を有する貯湯ユニット３と、ヒートポンプサイクル２０を有する室外ユニット２とを備える。
【００２４】
＜貯湯ユニットの構成＞
貯湯ユニット３は、主に、貯湯タンク３１と、循環ポンプ３２とで構成される。
貯湯タンク３１は、底壁に給水口３３が設けられ、上壁に出湯口３４が設けられる。貯湯タンク３１は、給水口３３から水道水が供給され、出湯口３４から貯湯タンク３１に貯まった高温の温湯を出湯し、浴槽等に供給可能である。また、貯湯タンク３１の底壁には、取水口３５が開設され、側壁（周壁）の上部に湯入口３６が開設されている。取水口３５と湯入口３６とは、循環路６と接続されている。循環路６には、循環ポンプ３２と、後述する室外ユニット２の水熱交換器２２とが接続されている。
【００２５】
循環ポンプ３２は、貯湯タンク３１の取水口３５の近傍に接続されている。また、循環ポンプ３２の吐出側には、水熱交換器２２が接続されている。循環ポンプ３２は、貯湯タンク３１内の未加熱水を取水口３５から循環路６に流出させ、水熱交換器２２内の熱交換路６１に未加熱水を流入する。水熱交換器２２に流入された未加熱水は、水熱交換器２２内の熱交換路６１にて加熱され、湯入口３６から貯湯タンク３１内に返流される。
【００２６】
＜ヒートポンプサイクル＞
室外ユニット２は、屋外に設置されており、ヒートポンプサイクル２０を有している。ヒートポンプサイクル２０は、主として、圧縮機２１と、熱交換路６１を構成する水熱交換器２２と、膨張機構としての電動膨張弁２３と、蒸発器２４と、液ガス熱交換器２５と、マフラー２６と、を順に接続して構成される。
【００２７】
圧縮機２１は、運転容量を可変することが可能な圧縮機であり、本実施形態において、インバータにより回転数が制御されるモータによって駆動されるロータリー式圧縮機である。
水熱交換器２２は、冷媒の凝縮器として機能する熱交換器である。水熱交換器２２は、圧縮機２１において圧縮された高温高圧のガス冷媒を、循環ポンプ３２から送られてくる未加熱水と熱交換させる（未加熱水を加熱する）ことで凝縮させる。また、水熱交換器２２は、そのガス側が圧縮機２１の吐出側に接続され、その液側が電動膨張弁２３に接続されている。
【００２８】
電動膨張弁２３は、蒸発器２４の液側と冷媒配管にて接続され、蒸発器２４内を流れる冷媒の圧力や流量等の調節を行う。
蒸発器２４は、伝熱管と多数のフィンとにより構成されたクロスフィン式のフィン・アンド・チューブ型熱交換器であり、屋外の空気と熱交換を行い流入してくる液冷媒を蒸発させる。
【００２９】
液ガス熱交換器２５は、水熱交換器２２から流出した液冷媒が通過する液冷媒通路２５ａと、蒸発器２４から流出したガス冷媒が通過するガス冷媒通路２５ｂとを備え、水熱交換器２２から流出した液冷媒と蒸発器２４から流出したガス冷媒とを熱交換させる。すなわち、液ガス熱交換器２５では、液冷媒通路２５ａが水熱交換器２２と電動膨張弁２３とを連結する液冷媒管２８の一部を構成し、ガス冷媒通路２５ｂが蒸発器２４と圧縮機２１とを連結するガス冷媒管２９の一部を構成している。液ガス熱交換器２５は、水熱交換器２２から流出して電動膨張弁２３に流入する高圧冷媒と、蒸発器２４から流出して圧縮機に流入する低圧冷媒との熱交換を行うことにより、水熱交換器２２から流出した冷媒に過冷却を付与し、また、圧縮機２１に流入する冷媒を加熱して過熱状態に近づけることができる。このため、蒸発器２４に送られる液冷媒の過冷却度を大きくして、液冷媒管２８でのフラッシュガスの発生を防止することができる。また、圧縮機２１の湿り圧縮を防止することができ、安定した運転を可能としている。
【００３０】
マフラー２６は、液ガス熱交換器２５と圧縮機２１の吸入側との間に接続されており、冷媒の流れの脈動を低減するための機器である。また、圧縮機２１が吸入するガス冷媒を確保することで、圧縮機２１が吸入ガス不足になることを防ぐことができ、圧縮機２１の容積効率を向上させている。
また、室外ユニット２は、室外ファン２７を有している。室外ファン２７は、ユニット内に室外空気を吸入して、蒸発器２４において冷媒と熱交換させた後に、室外に排出するための送風ファンである。この室外ファン２７は、蒸発器２４に供給する空気の風量を可変することが可能なファンであり、本実施形態において、ＤＣファンモータからなるファンモータ２７ａと、ファンモータ２７ａによって駆動されるプロペラファン２７ｂとから構成される。
【００３１】
＜室外ユニットの構成＞
図２は、室外ユニット２の天板と前板とを除いた斜視図である。また、室外ユニット２の天板を除いた上面図を図３（ａ）に、図３（ａ）のｂ−ｂ断面図を図３（ｂ）に示す。室外ユニット２は、主として、室外ユニットケーシング７、仕切り板７４、圧縮機２１、蒸発器２４、室外ファン２７、ファンモータ支持部材５、ファンモータ２７ａ、および電装品ユニット４で構成される。室外ユニットケーシング７は、前面に排気口７１、後面に吸気口７２を有しており、室外ファン２７によって図３（ａ）の白抜き矢印Ａ１〜Ａ３のように風の流れが生じる。室外ユニットケーシング７内部は、仕切り板７４により送風機室Ｓ１と機械室Ｓ２とに分離されている。また、室外ファン２７の後方から側方にかけてＬ字形状に形成された蒸発器２４が取り付けられ、ファンの下方には水熱交換器２２が配置されている。
【００３２】
送風機室Ｓ１には、前面の排気口７１の内側にベルマウス７３が設けられ、ベルマウス７３の後方にはファンモータ支持部材５が設置されている（図３（ａ），（ｂ）参照）。ファンモータ支持部材５は、金属製であり、蒸発器２４と接触してファンモータ支持部材５の上部を固定している支持部材固定部５ａと、電装品ユニット４を支持している電装品ユニット支持部５ｂと、ファンモータ支持部５ｃとで構成される（図２参照）。ファンモータ支持部５ｃには、ファンモータ２７ａが固定され、ファンモータ２７ａの駆動軸にプロペラファン２７ｂが止めナットによって取り付けられる。
【００３３】
機械室Ｓ２は、水分の進入を防止するために、ある程度外気から密閉された空間となっている。また、機械室Ｓ２の電装品ユニット４の下方空間には、圧縮機２１、電動膨張弁２３、マフラー２６等の部品が配置されることになる。これらの部品と電装品ユニット４とは、それぞれ図示しないワイヤーハーネスにより接続される。さらに、機械室Ｓ２内には、図示しない各種サーミスタが配置されており、これらのサーミスタも電装品ユニット４と接続される。一方、送風機室Ｓ１に配置されるファンモータ２７ａも、ワイヤーハーネスにより電装品ユニット４と接続される。
【００３４】
図４は、仕切り板７４による送風機室Ｓ１と機械室Ｓ２との区画状況を示した概略図であり、室外ユニット２の上視図である。仕切り板７４は、上面視において、前後方向に延びる第１仕切り板７４ａと、左右方向に延びる第２仕切り板７４ｂとで構成され、Ｌ字形状に形成されている。また、この仕切り板７４の上端は、電装品ケーシング４１の底部を支えており、電装品ユニット支持部５ｂと共に電装品ケーシング４１を支えている。そして、仕切り板７４の下端は、室外ユニット２の底部に延びている。このように、仕切り板７４は、電装品ケーシング４１の底部の一部と共に機械室Ｓ２を区画しており、室外ユニット２内の機械室Ｓ２以外の空間を送風機室Ｓ１としている。
【００３５】
＜電装品ユニットの構造および配置＞
電装品ユニット４は、電装品ユニット支持部５ｂと仕切り板７４とに支持され、室外ユニット２の上方空間に送風機室Ｓ１と機械室Ｓ２とにまたがるように配置されている。電装品ユニット４は、ヒートポンプ給湯機１の制御を行うための電装部品が内装されており、主に、プリント配線基板４３と、リアクタ４２と、電装品ケーシング４１とにより構成されている。プリント配線基板４３とリアクタ４２とは、電装品ケーシング４１内部で図５（ａ）のように配置されている。リアクタ４２は、プリント配線基板４３の第１電装部４４を挟んで第２電装部４５とは反対側に配置されている。
【００３６】
プリント配線基板４３は、室外ユニット２の各部品を制御するためのマイクロコンピュータチップや制御プログラムを格納するメモリなどの電装品を実装している。ここで、プリント配線基板４３上の電装部品は、第１電装部４４と第２電装部４５とに分けて配置される。第１電装部４４に配置される電装部品は、電装部品のうち、ダイオードやパワートランジスタ等の強電部品から構成される。また、第２電装部４５に配置される電装部品は、弱電部品により構成される。パワートランジスタには放熱フィン４８が取り付けられており、放熱フィン４８は、電装品ケーシング４１外部に露出するように送風機室Ｓ１内に配設されている。放熱フィン４８は、蒸発器２４を通過し冷却され、室外ファン２７から送られる冷たい風（図３（ａ）の白抜き矢印Ａ１〜Ａ３を参照）を受けてパワートランジスタの冷却を助長している。
【００３７】
電装品ケーシング４１は、リアクタ４２の下部の蒸発器２４側に冷気取入口４６が開けられている。また、リアクタ４２を挟んで冷気取入口４６と反対側に空気放出口４７が開けられている。これにより、図５（ａ），（ｂ）に示す白抜き矢印Ａ４〜Ａ６のように電装品ケーシング４１内部に、蒸発器２４により冷却された外気を取り入れることが可能である。
【００３８】
リアクタ４２は、ファンモータ支持部材５の上方に配置されており、ファンモータ支持部材５と電装品ケーシング側面部４１ｂとを介して、蒸発器２４の冷輻射熱を受けて冷却されている（図５（ｂ）参照）。また、ファンモータ支持部材５は、開口部５１を有しており、その開口部５１は電装品ケーシング４１に開けられている冷気取入口４６と同じ位置にある。このため、蒸発器２４により冷却された外気をファンモータ支持部材５の開口部５１、電装品ケーシング４１の冷気取入口４６から取り入れることが可能であり、ファンモータ支持部材５があっても、図５（ａ），（ｂ）に示す矢印Ａ４〜Ａ６のように電装品ケーシング４１内部に、蒸発器２４により冷却された外気が通過可能な風通路を設けることが可能となっている。
【００３９】
＜特徴＞
（１）
このヒートポンプ給湯機１の室外ユニット２では、リアクタ４２を室外ファン２７の設置されている送風機室Ｓ１に配置することにより、蒸発器２４の冷輻射熱やこの蒸発器２４を通り外気よりも低温の空気によってリアクタ４２を冷却することができる。これにより、リアクタ４２の温度が上昇しにくくなり、リアクタ４２の使用条件に制約が掛かる原因の発生を低減することができ、コストを削減できる。
【００４０】
（２）
このヒートポンプ給湯機１の室外ユニット２では、複数の電装部品は、リアクタ４２と、第１電装部４４と、第２電装部４５とに分けて配置され、第１電装部４４は強電部品で構成され、第２電装部４５は弱電部品で構成されている。そして、リアクタ４２は、第１電装部４４を挟んで第２電装部４５の反対側に位置する。
【００４１】
このため、第２電装部４５は、発熱量が多いリアクタ４２と離れるために、リアクタ４２の発熱の影響を受けにくくなる。これにより、第２電装部４５における制御回路の制御に不具合が発生することを防ぐことができる。
（３）
このヒートポンプ給湯機１の室外ユニット２では、室外ユニット２の電装品ケーシング４１の内部に、リアクタ４２とプリント配線基板４３とを収納している。したがって、リアクタ４２とプリント配線基板４３とを雨水等の水分から遮断することができ、電気的な短絡を防ぐことができる。また、リアクタ４２を含む電装部品を一つのケースにまとめることで、配線の手間を省くことができ、配線ミスをすることをすくなくできる。このため、製品の質を向上させることができる。
【００４２】
（４）
このヒートポンプ給湯機１の室外ユニット２では、電装品ケーシング４１に、２種類の開口が開けられている。２種類の開口は、一方が電装品ケーシング４１内部のリアクタ４２近傍に冷気を取り入れるための冷気取入口４６であり、他方が電装品ケーシング４１内部のリアクタ４２近傍の空気（熱気）を放出するための空気放出口４７である。
【００４３】
これにより、電装品ケーシング４１内部に蒸発器２４を通り外気よりも低温の空気を取り込み、リアクタ４２近傍の熱気を電装品ケーシング４１外部に放出することができる。このため、リアクタ４２を効率よく冷却することが可能となる。
（５）
このヒートポンプ給湯機１の室外ユニット２では、電装品ケーシング４１が、金属製で、かつ、蒸発器２４に接しているファンモータ支持部材５により底部を支えられている。また、ファンモータ支持部材５に冷気取り入れ可能な開口部５１を有し、その開口部５１は、電装品ケーシング４１の冷気取入口４６から冷気を取入可能な位置に設けられる。
【００４４】
これにより、ファンモータ支持部材５を介して蒸発器２４からの冷輻射熱を受け取ることが可能となる。また、電装品ケーシング４１の底部にファンモータ支持部材５があっても、冷気取入口４６を塞ぐことなく、冷気取入口４６から冷気を取り入れることができる。このため、電装品ケーシング４１内部のリアクタ４２を効率よく冷却することが可能となる。
【００４５】
（６）
このヒートポンプ給湯機１の室外ユニット２では、リアクタ４２は、室外ファン２７の上方空間に配置されているため、蒸発器２４により冷却された空気を効率よくリアクタ４２に送風することができる。このため、効率よくリアクタ４２を冷却することが可能となる。
【００４６】
＜他の実施形態＞
以上、本発明の実施形態について図面に基づいて説明したが、具体的な構成は、これらの実施形態に限られるものではなく、発明の要旨を逸脱しない範囲で変更可能である。
上記実施例では、電装品ケーシング４１内のリアクタ４２近傍に冷気を取り入れ可能な冷気取入口４６と、リアクタ４２近傍の空気（熱気）を放出可能な空気放出口４７が別々に設けられていたが、これらの機能を備えた一つの開口を設けることリアクタ４２の冷却を行ってもよい。
【産業上の利用可能性】
【００４７】
本発明に係るヒートポンプ給湯機の室外ユニットは、リアクタの使用条件に制約が掛かる原因の発生を抑制することができ、ヒートポンプ給湯機の室外ユニット、特に、送風機の配設されている送風機室と送風機室から隔離された機械室とを有し、リアクタが設けられているヒートポンプ給湯機の室外ユニット等として有用である。
【図面の簡単な説明】
【００４８】
【図１】本発明の一実施形態にかかるヒートポンプ給湯機の回路概略構成図。
【図２】室外ユニットの天板と前板とを除いた斜視図。
【図３（ａ）】室外ユニットの天板を除いた上面図。
【図３（ｂ）】ｂ−ｂ断面図。
【図４】仕切り板７４による送風機室Ｓ１と機械室Ｓ２との区画状況を示した概略図。
【図５（ａ）】電装品ユニットの天板を除いた上面図。
【図５（ｂ）】ｂ−ｂ断面図。
【符号の説明】
【００４９】
１            ヒートポンプ給湯機
２            室外ユニット
５            ファンモータ支持部材（支持部）
２０          ヒートポンプサイクル（冷媒回路）
２４          蒸発器
２７          室外ファン（送風機）
４１          電装品ケーシング
４２          リアクタ
４４          第１電装部
４５          第２電装部
４６          冷気取入口（取入口）
４７          空気放出口（放出口）
５１          開口部
Ｓ１          送風機室
Ｓ２          機械室
【図１】
2007271212.tif 000003
【図２】
2007271212.tif 000004
【図３（ａ）】
2007271212.tif 000005
【図３（ｂ）】
2007271212.tif 000006
【図４】
2007271212.tif 000007
【図５（ａ）】
2007271212.tif 000008
【図５（ｂ）】
2007271212.tif 000009